(57)【要約】　　　（修正有）【課題】急激な回転、停止及び走る、投げる、飛ぶなどの運動時に、足ずれ及び足指個々の運動を保証すると同時に靴底部にその力を高効率で伝達するための靴の中敷およびインナーソール、靴底部を提供する。【解決手段】足指全体が急激な回転や急激な停止に、靴の中で足全体がずれ靴に大きな変形を生んでいる。この事象を最小限にとどめるため、靴の中敷５または、インナーソール５に足指に相当する高さを有する足指親指の外側及び小指外側に指間隔壁と異なる外側隔壁１，２を設けている。スムーズに次に行動を促すため軟質プラスチックなどの材質により足指個々に指間隔壁をもうけること。または靴の中敷、インナーソールに適度に弾力を有する布地またはポリエステル、ウレタンなどで製造されたテープを縫いつけたものまたは、軟質プラスチック等によりループを構成するものである。【選択図】　　図１
2004113748.tif 000002
【特許請求の範囲】
【請求項１】
運動用シューズ及びウォーキングシューズ、作業靴など踏み切り、踏ん張るなどの運動に発生する足ずれの防止及び足指個々の運動を保証することにより強い力を引き出すため、靴底部に伝達する力率の向上及び身体バランス、身体の果敢な重心移動による急激な回転運動、停止運動などの安定性向上を目指した靴の構造。
【００１】
【発明の詳細な説明】
【発明の属する技術分野】
本願は、運動用シューズ及びウォーキングシューズ、作業靴など踏み切り、踏ん張るなどの運動に発生する足ずれの防止及び足指個々の運動を保証することにより強い力を引き出すため、靴底部に伝達する力率の向上及び身体バランス、身体の果敢な重心移動による急激な回転運動、停止運動などの安定性向上を目指した靴の構造である。
運動用シューズ及びウォーキングシューズ、作業靴など踏み切り、踏ん張るなどの運動に欠かせない足指個々の運動を保証することにより強い力を引き出すと同時に踏み切り、踏ん張るための靴底に伝達する力率の向上及び身体バランス、身体の果敢な重心移動による急激な回転運動、停止運動などの安定性向上を目指した靴の構造である。
【００２】
【従来の技術】
靴及び靴下は足を包むという概念から発展してきたものである。したがって、足指もひとまとめにして袋に入れる、日本的な概念では足袋及び、その延長上にある親指とその他の指に分離し包むという概念である。靴においては、土踏まずと足の甲を甲被で巻きつけるようにし、紐で締め付けることにより密着性を高め、運動機能を確保している。当該においては足指全指にわたりそれぞれの働きがあり、五指それぞれの働きを確保し、その働きを靴（靴底、爪先甲被）に伝えようとするものである。
【００３】
従来の技術では、走る、投げる、飛ぶ、急激に停止する、急激な方向転換時、大きく靴が変形している。急激な回転や急激な停止など上記のような運動時には一点に力が集中するため、足全体が靴の中で足がずれているために靴自体が大きく変形しながら力の分散を図っている。そのため、耐性限界を超える力が加わった場合、予期せぬ大回り、スリップ、転倒などが発生している。
【００４】
人体はこれを避けようと、親指を中心に他指は密着し、進行方向に力を集中し、運動完了後において全指は弛緩し分離し着地運動のための足指個々がそれぞれ微妙にずれながら力を分散するためのサポート運動に働いている。これらの反転運動には回転軸を中心として外側にあたる足の親指を軸に外足と内側にあたる足の小指が開き地面方向に強い荷重を加えながら停止動作をしている。
さらに前進する場合は、上体を建て直し上記の運動が繰り返しおこなわれる。ところが小指が十分に開ききらず、また親指が元の踏み切り位置から微妙にずれるなど靴との連携動作がうまく働かないと予期せぬ大回り、スリップ、転倒につながるのである。
【００５】
したがって、親指外側、小指外側にも隔壁（図１・２、図１・１）を設け靴自体が大きく変形することを抑止し、さらに足指個々の運動をサポートするため、指間隔壁（図１・４）を設けることにより履く人、それぞれの運動の機能、能力を高めることになるのである。
さらに、靴の変形劣化の度合いが少なくなり靴の寿命を延ばすことになるのである。又、履く人にとって限界運動時の捻挫、肉離れなどの減少にもつながるものである。
【００６】
靴においては足裏に靴底を密着させることは高力率を求めるための重要な要素である。従来の技術はこの点のみに着目し開発されてきた。
逆に、甲被と土踏まずの間が極端に密着しすぎると数分から数時間後に土踏まずの筋肉に痛みが走り始める。さらに、その状態を維持すると筋肉が伸びきってしまい痛みが消えるまでに数時間から数日間の時間を要し、慢性化し癖になることもある。
選手の中には踏み切り時の力率をあげたいために小さ目の靴を選択し、使用している人もいる。極力足指の「遊び」をなくすことで上記の問題を解決しているのである。
【００７】
５本指の靴下との違いは、靴と靴下の関係である。通常時（例えば、一般的な歩行状態時）において巧くフィットしていればそれほど問題ないが、しかし、限界運動時においてはトップスピードで走る、８０％のスピードで２時間を走り切る等では、靴下と靴との滑り具合、フィット感に少々のずれがあっても大きな違和感となる。
【００８】
したがって、実願平１１−３８５４で考案された技術が必要とされる。靴下を滑りにくくすることも大切な要素であるが、滑りが具合が悪かったり、滑らない場合は故障の原因にもなる。
本願にあっては、靴の内側の爪先部分を変更することにより、靴底部へ足指個々の力を効率よく確実に伝達するための方法として、中敷または、インナーソール、及び靴底部に伝達するための技術である。
【００９】
又、該靴下においては靴の上部にも踏み切り後の動作として振り上げ動作時、蹴り上げ動作時の足指上部から靴の上側（甲被）への力の伝達に対する方法がないのである。
すなわち、靴下と爪先甲被のあいだに「遊び」ができる、逆に密着しすぎるなど、結果的に靴自身の問題に帰結し、「履いてみないと判らない」という状況が発生するのである。足指個々の靴底部への力の伝達方法もさることながら、靴の上部にもその力は伝達されなければならないと考える。故に、靴下をもってしてその役割を担うに十分とは言いがたいものである。特に、靴底部にスパイクなどが装着されるとその差は歴然となるものである。
【０１０】
たとえば、特願平１０−０５５８４８、特願２０００−１７４９５５ともに指股隔壁を有する靴である。これらの願書のおいては足の親指のみを結束固定する方法または、隔壁により親指のみ分離する方法及び、その両方を行うことにより結果的に、靴に親指の力を伝達しようとするものである。しかし、親指だけでなくすべての指の運動が靴底に伝達されないと意味がないと考える。同時に踏み切り後の足上げ運動時にあってはそれらの指が適度な柔軟性を持って爪先甲被にフィッティングする必要があり、同時に親指だけでなく他の指も同様にそれぞれの役割を分担しているのであるからこの点についての配慮がなされていないものである。
【０１１】
爪先甲被については密着度を強めるためベロを思いっきり手前に引き上げたり、ベロ側上部のループを一段ずらせて使用するなどの対処により使用しているが足を痛める原因となる。このような行為は爪先が反り返ると同時に紐を強く閉めるため土踏まずの筋肉を痛めてしまう原因となるがそのようなことをするまでもなく、足全体のバランスがよくなり爪先から先に出て行くことになるので上記の事項は必要がなくなる。
【０１２】
【発明が解決しようとする課題】
急激な回転、停止及び走る、投げる、飛ぶなどの運動時に靴が大きく変形する。その原因は該運動時に靴の中で足がずれることに起因している。同時に足指個々においても密着した状態にあり、スムーズに次運動に入れず、逆に、予期せぬ大回りや、スリップ、転倒などにつながっている。
故に、足ずれ及び足指個々の運動を保証すると同時に靴底部にその力を高効率で伝達するための靴の中敷及びインナーソールに取着し、または靴底部に直結した外側隔壁、指間隔壁を設けた靴の構造を課題とする。
【０１３】
【課題を解決するための手段】
１、急激な回転や急激な停止に、靴の中で足全体がずれ靴に大きな変形を生んでいる。この事象を最小限にとどめ靴の中敷または、インナーソールに足指の高さに相当する高さを有する硬質プラスチックなどの材質により足指親指の外側及び小指外側に指間隔壁と異なる親指外側隔壁、及び小指外側隔壁を設けているものである。
２、スムーズに次運動に入れず予期せぬ大回りや、スリップ、転倒などにつながっている。故に、靴の中敷または、インナーソールに足指の高さに相当する高さを有する軟質プラスチックなどの材質により足指の指間に指間隔壁を設けている。
靴の中敷、インナーソールに適度に弾力を有する布地またはポリエステル、ウレタン繊維などで製造されたテープを縫い付けた物または、軟質プラスチック等によりループを構成するものである。
【０１４】
【発明の実施の形態】
１、足指全体が急激な回転や急激な停止に、靴の中で足全体がずれ靴に大きな変形を生んでいる。この事象を最小限にとどめ靴の中敷または、インナーソールに足指の高さに相当する高さを有する硬質プラスチックなどの材質により足指親指の外側及び小指外側に指間隔壁と異なる親指外側隔壁、及び小指外側隔壁を設けている。なお、上記外側隔壁にあっては、Ｖ字、Ｗ字の切込みを入れるなど、その形状、材質、大きさ、長さ及びその他適切なものであれば、本願で例示したものに限定されるものではない。
２、靴の中敷または、インナーソールに足指の高さに相当する高さを有する軟質プラスチックなどの材質により足指の指間に指間隔壁を設けている。
３、靴の中敷、インナーソールに適度に弾力を有する布地またはポリエステル、ウレタン繊維などで製造されたテープを縫いつけたものまたは、軟質プラスチック等によりループを構成するものである。
【０１５】
４、上記のものを靴底に直接装備し、その上からインナーソールで覆い切り込みから指間隔壁を突出させたものである。
５、又、足指上部の密着度を高めるため靴の爪先甲被の内側にカウンタパッド（以降、アッパーソールカウンタパッドと呼称する）またはそれに代わるものにより適度に圧力を加えること。
６、指間隔壁の形状については記載のものまたは、他の形状を含む例えばＶ字の切れ込みを入れるなど及び、その大きさ、長さ、形状、材質は適正なものであれば本願で例示したものに限定されるものではない。
７、適度に弾力を有する布地またはポリエステル、ウレタン繊維などで製造されたテープ、ベルトを縫いつけループを形成したものであり、その材質は適度な弾性、柔軟性、強度を有するものであれば、その大きさ、長さ、形状、材質など、本願で例示したものに限定されるものではない。
【０１６】
靴底に直接形成されたものであってもよい。インナーソールを突き抜ける形に突出させ、靴底、インナーソール、指間隔壁の順に形成する。
中敷、インナーソールを直接靴底に貼り付けたり縫い付けたりすることも方法のひとつであるがこれに代わる方法があればその方法に限定されない。
（概念は図１、図２に類似であるので図面を準用する）
又、靴の爪先甲被及びその内側にアッパーソールカウンタパッドまたはそれに代わるものにより足指上部の適度に密着度を高めたものを装備する。（図１・３）
【０１７】
【発明の効果】
運動時に発生する靴の変形を防止すること及び足指個々の運動を保証することにより予期せぬ大回りをしてしまう、スリップ、転倒など事態を抑止すること及びそれら事象発生時においても矯正する事が可能となり、結果、果敢な重心移動による回転運動が可能となるものである。
【０１８】
【図面の簡単な説明】
【図１】（斜視図）適度な高さを持つ外側隔壁と足指個々の指間隔壁を中敷及びインナーソールまたは靴底に直接取着した図である。
【図２】（斜視図）適度な高さ、強度を有するテープなどのループを縫いつけたものを中敷及びインナーソールまたは靴底に直接取着した図である。
【符号の説明】
【図１】１　小指外側隔壁（１，２を総称し外側隔壁と呼称する）
２　親指外側隔壁
３　アッパーソールカウンタパッド
４　足指指間隔壁
５　中敷、インナーソールまたは、靴底
【図２】６　テープを縫い付けループを形成し、取着したものである
【図１】
2004113748.tif 000003
【図２】
2004113748.tif 000004